(57)【要約】【課題】簡単な構造で、而も充分な換気機能を有するシャッタを提供する。【解決手段】ガイドレール１６を両側に有するシャッタ枠体９がシャッタケース１３側の端部を中心に回転可能であり、前記ガイドレールと躯体間にガイドレールの傾斜を保持する突出しアーム２１が設けられると共に前記ガイドレールが躯体側に密着した状態で該ガイドレールを固定する施錠手段２７が設けられた。【選択図】        図４
2004204530.tif 000002
【特許請求の範囲】
【請求項１】
ガイドレールを両側に有するシャッタ枠体がシャッタケース側の端部を中心に回転可能であり、前記ガイドレールと躯体間にガイドレールの傾斜を保持する突出しアームが設けられると共に前記ガイドレールが躯体側に密着した状態で該ガイドレールを固定する施錠手段が設けられたことを特徴とするシャッタ。
【請求項２】
前記施錠手段は、前記躯体から突出するラッチ受け金具と前記シャッタ枠体に設けられ、前記ラッチ受け金具と係合離脱可能なラッチを具備する請求項１のシャッタ。
【発明の詳細な説明】
【０００１】
【発明の属する技術分野】
本発明は、住宅、ビル等の窓、出入口等の開口部に設けられるシャッタに関するものである。
【０００２】
【従来の技術】
住宅、ビル等の窓、出入口等の開口部、例えば窓に設けられるシャッタには単に開口部を開閉するだけでなく、閉状態で採光、換気ができる等、開閉機能以外の機能が付加されたものがある。例えば、採光、換気が行えるものとして、シャッタカーテンのスラットにスリット孔を穿設したものがある。
【０００３】
或は、特許文献１に示される様に、開状態でシャッタカーテンにより庇が形成される様にしたものがある。
【０００４】
【特許文献１】
特許第２７１７５８０号公報（第１図から第５図及び第６図及び第７図）
【０００５】
【発明が解決しようとする課題】
上記したスラットにスリット孔を穿設して採光、換気ができる様にしたものでは、スラット個々に複数のスリット孔を穿設しなければならず、スラットの加工が複雑となり、コストが高くなる。
【０００６】
又、特許文献１には、シャッタカーテンにより庇を形成する為、ガイドレールが複数のガイドレール基体に分割された構造（特許文献１の第１図から第５図、及び第６図参照）のものとなっており、構造が複雑になると共に上下のガイドレール基体が入れ子式となっている為、上方に位置するガイドレール基体程大型化し、収納スペースが大きくなる。或は風圧を考慮すると、ガイドレール基体同士の連結部は頑丈にしなければならない等、コスト高となる。
【０００７】
又、特許文献１には、シャッタカーテンにより庇を形成する為、ガイドレールを屈曲可能な構造（図７参照）としなければならないので、やはり構造が複雑になり、コスト高となる等の虞れがあった。
【０００８】
本発明は斯かる実情に鑑み、簡単な構造で、而も充分な換気機能を有するシャッタを提供するものである。
【０００９】
【課題を解決するための手段】
本発明は、ガイドレールを両側に有するシャッタ枠体がシャッタケース側の端部を中心に回転可能であり、前記ガイドレールと躯体間にガイドレールの傾斜を保持する突出しアームが設けられると共に前記ガイドレールが躯体側に密着した状態で該ガイドレールを固定する施錠手段が設けられたシャッタに係り、又前記施錠手段は、前記躯体から突出するラッチ受け金具と前記シャッタ枠体に設けられ、前記ラッチ受け金具と係合離脱可能なラッチを具備するシャッタに係るものである。
【００１０】
【発明の実施の形態】
以下、図面を参照しつつ本発明の実施の形態を説明する。
【００１１】
図１〜図５は、本発明が窓用シャッタとして実施された場合を示している。
【００１２】
図中、１は躯体の壁、２は開口部であり、該開口部２にはサッシ枠が設けられる。以下、特に図４、図５を参照して説明する。又、図４、図５中では、サッシ上枠３、サッシ下枠４が示されている。前記サッシ上枠３には、窓用引戸の上レール５が形成され、前記サッシ下枠４には窓用引戸の下レール６が形成されている。
【００１３】
サッシの側枠（図示せず）の外面にシャッタ側枠７，７（一方は図示せず）が固着されている。前記下レール６の外面にはシャッタ下枠８が配設され、該シャッタ下枠８の両端と、後述するガイドレール１６の下端とが連結され、該ガイドレール１６と前記シャッタ下枠８とで凹字状のシャッタ枠体９が構成される。
【００１４】
前記サッシ上枠３の両端部外面には蝶番１１，１１（一方は図示せず）が前記シャッタ側枠７を介して固着され、該シャッタ側枠７に沿って前記ガイドレール１６が配設され、該ガイドレール１６の上端が前記蝶番１１に固着されている。
【００１５】
前記開口部２の上側部分の前記壁１の外面にシャッタケース台枠１２が取付けられ、該シャッタケース台枠１２にシャッタケース１３が取付けられている。該シャッタケース１３の下面の前記壁１側には、該壁１に沿って形成された下面口１５が形成されている。
【００１６】
前記シャッタケース１３には巻取シャフト（図示せず）が回転可能に収納され、シャッタカーテン１４は前記巻取シャフトに巻取られて前記シャッタケース１３に収納される様になっている。前記シャッタカーテン１４の下端には幅木１７が取付けられている。
【００１７】
上記した様に、前記ガイドレール１６，１６の下端には前記シャッタ下枠８が掛渡され連結されて前記シャッタ枠体９が構成され、該シャッタ枠体９は前記蝶番１１を介して回動可能となっている。前記シャッタ枠体９が前記シャッタ側枠７に当接した状態で、前記ガイドレール１６の上端は前記下面口１５に正対する様になっている。
【００１８】
前記シャッタ側枠７の所要高さ位置（図４では略中間位置）に、躯体側ブラケット１８が固着され、前記ガイドレール１６の下端部寄りにはガイドレール側ブラケット１９が固着され、前記躯体側ブラケット１８に突出しアーム２１の一端が枢着され、該突出しアーム２１の他端は前記ガイドレール側ブラケット１９に枢着される。前記突出しアーム２１は入れ子式に伸縮可能となっている基部材２２と先部材２３を具備し、前記基部材２２には長手方向に延びるガイド孔２４が穿設され、前記先部材２３の基端にはスライドピン２５が突設され、該スライドピン２５は前記ガイド孔２４を摺動自在となっている。
【００１９】
前記突出しアーム２１の所要位置にはロック手段２６が設けられ、該ロック手段２６は例えば回転により、前記基部材２２と前記先部材２３との間に挿入される楔の様な固定部材（図示せず）を具備しており、前記基部材２２より突出する凸部２６ａを回転させることで、前記固定部材を前記基部材２２と前記先部材２３との間に挿入することができ、前記突出しアーム２１を所要の長さでロックできる様になっている。
【００２０】
前記シャッタ枠体９の下端と前記シャッタ側枠７の下端との間には、施錠手段２７が設けられている。
【００２１】
図６を参照して該施錠手段２７について説明する。尚、該施錠手段２７は前記シャッタ枠体９の両端で同様な構成となっているので、以下は片側（図６中では右側）だけについて説明する。
【００２２】
前記シャッタ側枠７の下端部にラッチ受け金具２８を固着する。該ラッチ受け金具２８は板材を屈曲して成形したものであり、水平方向に突出し、先端部が外側にテーパ状に曲げられている。又、前記ラッチ受け金具２８には先端部の屈曲位置より前記サッシ下枠４寄りにラッチ嵌合孔２９が穿設されている。
【００２３】
前記シャッタ下枠８の躯体に対向する面には前記ラッチ受け金具２８が挿入自在な孔が穿設され、該孔に臨接し前記ラッチ受け金具２８に対向するラッチガイド金具３１が前記シャッタ下枠８に固定されている。
【００２４】
該シャッタ下枠８内部には、該シャッタ下枠８と平行に支持され、水平方向に摺動自在なロックロッド３２が設けられており、該ロックロッド３２の先端にはラッチ３３が設けられている。該ラッチ３３は前記ラッチガイド金具３１に水平方向に摺動自在にガイドされ、先端部は斜面が躯体側となる様な片刃形状となっている。
【００２５】
前記シャッタ枠体９が前記シャッタ側枠７に密着した状態では、前記ラッチ受け金具２８は前記シャッタ下枠８内に挿入され、前記ラッチ３３は前記ラッチガイド金具３１より突出して前記ラッチ受け金具２８の前記ラッチ嵌合孔２９に嵌合する。
【００２６】
前記シャッタ下枠８の所要位置に解錠機構部３４が設けられており、前記ロックロッド３２は前記解錠機構部３４を貫通している。該解錠機構部３４は回転可能な解錠レバー３５を具備し、又内部にリンク機構、カム機構等により前記解錠レバー３５の回転を前記ロックロッド３２の軸心方向の動きに変換する動作伝達機構を具備している。
【００２７】
尚、図６中、３６はサッシ側枠を示している。
【００２８】
以下、作動について説明する。
【００２９】
図２、図４は前記シャッタ枠体９が前記シャッタ側枠７に密着した状態であり、通常使用の状態を示している。
【００３０】
採光、或は換気、通風を必要とする場合は、屋内側より前記解錠レバー３５を回転、例えば手前に倒す。前記解錠機構部３４の動作伝達機構により、前記ロックロッド３２が中心側に変位される。前記ラッチ３３が前記ラッチ受け金具２８より抜脱し、前記ラッチ３３と前記ラッチ受け金具２８との係合が解かれる。
【００３１】
前記シャッタ枠体９の下端部を屋外側に押すと、該シャッタ枠体９は前記蝶番１１を中心に回転する。前記シャッタ枠体９の回転により、前記突出しアーム２１は回転しつつ伸長する。最大の回転角度は前記スライドピン２５が前記ガイド孔２４の端に到達した状態である。
【００３２】
前記シャッタ枠体９を回転し、所望の開度が得られたら、前記凸部２６ａを回転し、前記突出しアーム２１の長さを固定する。
【００３３】
尚、前記シャッタ枠体９を傾斜させた状態でも、前記シャッタカーテン１４の開閉は可能であるので、更に所要量該シャッタカーテン１４を開け、採光と通風を確保することができる。
【００３４】
更に、日照角度に対応して、前記シャッタカーテン１４の開度を選択する等すると、効果的な日除装置として使用することができる。
【００３５】
前記シャッタ枠体９を閉じる場合は、前記ロック手段２６を開放し、前記シャッタ枠体９の支えを解除すると、該シャッタ枠体９、シャッタカーテン１４の自重により閉じられる。前記ラッチ受け金具２８が前記シャッタ下枠８内に挿入され、前記ラッチ３３が前記ラッチ嵌合孔２９に嵌合し、前記シャッタ枠体９は躯体側に固定される。前記ラッチ３３は屋外側からは解錠できない。尚、２重の施錠として、前記ロック手段２６を利用して前記突出しアーム２１を固定してもよい。
【００３６】
又、該突出しアーム２１のロック手段２６としては、前記スライドピン２５にナットを螺合し、該ナットの螺合により前記突出しアーム２１をロックする様にしてもよい。
【００３７】
尚、開度が一定でよい場合は、前記突出しアーム２１の代りに、前記シャッタ下枠８とサッシ下枠４間につっかい棒の様な突出しアームを掛渡す様にしてもよい。
【００３８】
又、前記シャッタ枠体９を回転自在に支持するものとして前記蝶番１１を使用したが、ピンにより支持し、直接前記ガイドレール１６の上端を軸支してもよい。
【００３９】
更に、本発明は水平引き式や引上げ式のシャッタでも実施可能であることは言う迄もない。
【００４０】
更に又、上記実施の形態では前記解錠レバー３５の回転で前記ラッチ３３を軸心方向に変位させたが、押しボタンにより前記ラッチ３３を軸心方向に変位させる様にしてもよい。
【００４１】
【発明の効果】
以上述べた如く本発明によれば、ガイドレールを両側に有するシャッタ枠体がシャッタケース側の端部を中心に回転可能であり、前記ガイドレールと躯体間にガイドレールの傾斜を保持する突出しアームが設けられると共に前記ガイドレールが躯体側に密着した状態で該ガイドレールを固定する施錠手段が設けられる構成であるので、前記ガイドレールは回転可能に支持するだけの簡単な構造であり、而も開度の調整、ガイドレールの傾斜角度、或はシャッタカーテンの開閉の調整等多様な状態が選択できる等の種々の優れた効果を発揮する。
【図面の簡単な説明】
【図１】本発明の実施の形態を示す全体正面図である。
【図２】本発明の実施の形態を示す全体側面図である。
【図３】本発明の実施の形態での作用を示す全体側面図である。
【図４】図１のＡ−Ａ矢視図である。
【図５】本発明の実施の形態の作用を示す図１のＡ−Ａ矢視図である。
【図６】図４のＢ−Ｂ矢視図である。
【符号の説明】
１          壁
２          開口部
７          シャッタ側枠
８          シャッタ下枠
９          シャッタ枠体
１１        蝶番
１３        シャッタケース
１４        シャッタカーテン
１６        ガイドレール
２１        突出しアーム
２６        ロック手段
２７        施錠手段
２８        ラッチ受け金具
３１        ラッチガイド金具
３２        ロックロッド
３３        ラッチ
３４        解錠機構部
３５        解錠レバー
【図１】
2004204530.tif 000003
【図２】
2004204530.tif 000004
【図３】
2004204530.tif 000005
【図４】
2004204530.tif 000006
【図５】
2004204530.tif 000007
【図６】
2004204530.tif 000008